(57)【要約】【課題】表示装置でウィンドウのリサイズが行われる場合に、表示装置側での画像処理の負荷を減らし、画像処理による画質劣化を抑えられるようにする。【解決手段】表示装置１０は、外部映像入力を受ける複数の映像入力端子（１２、１３、１４）を備え、外部映像をそれぞれウィンドウ２１、２２で表示する。また、外部映像と表示解像度情報を含むＥＤＩＤとを対応付けてＥＤＩＤ記憶部１０２に記憶する。ウィンドウ２１、２２のリサイズの操作があると、リサイズを実行し、リサイズした後のサイズに合わせてＥＤＩＤ記憶部１０２の表示解像度情報を変更するとともに、該ウィンドウの外部映像の映像出力側に通知する。【選択図】図２
2014048921.tif 000002
【特許請求の範囲】
【請求項１】
外部映像入力を受ける複数の外部映像入力手段と、
前記外部映像入力で入力した外部映像をそれぞれウィンドウで表示する表示制御手段と、
前記外部映像入力で入力する各外部映像に対応する表示解像度情報を記憶する記憶手段と、
前記表示制御手段で表示するウィンドウのリサイズの操作があると、リサイズを実行し、リサイズした後のサイズに合わせて前記記憶手段の表示解像度情報を変更するとともに、該ウィンドウの外部映像の映像出力側に通知する制御手段とを備えたことを特徴とする表示装置。
【請求項２】
前記表示解像度情報はＥＤＩＤに含まれることを特徴とする請求項１に記載の表示装置。
【請求項３】
前記リサイズの操作はマウスにより行われ、
前記制御手段は、前記マウスのドラッグによりリサイズの操作が開始され、前記マウスがリリースされると、リリース時のウィンドウのサイズに最も近い、設定可能な表示解像度にリサイズすることを特徴とする請求項１又は２に記載の表示装置。
【請求項４】
前記制御手段は、設定可能な表示解像度にのみリサイズすることを特徴とする請求項１乃至３のいずれか１項に記載の表示装置。
【請求項５】
前記制御手段は、前記リサイズの操作中に、前記設定可能な表示解像度をまたいだことを知らせることを特徴とする請求項４に記載の表示装置。
【請求項６】
前記表示制御手段で表示するウィンドウが最小化されたときに、該ウィンドウの外部映像の映像出力側に映像出力停止を要求する手段を備えたことを特徴とする請求項１乃至５のいずれか１項に記載の表示装置。
【請求項７】
前記表示制御手段で表示するウィンドウが重なったときに、隠されるウィンドウの外部映像の映像出力側に映像出力停止を要求する手段を備えたことを特徴とする請求項１乃至６のいずれか１項に記載の表示装置。
【請求項８】
外部に映像を出力する映像出力手段と、
外部から表示解像度情報を受信する受信手段と、
前記受信手段で受信した表示解像度情報に従って、前記映像出力手段で出力する映像の表示解像度を変更する変更手段とを備えたことを特徴とする映像出力装置。
【請求項９】
前記表示解像度情報はＥＤＩＤに含まれることを特徴とする請求項８に記載の映像出力装置。
【請求項１０】
外部から映像出力停止要求を受信する受信手段と、
前記受信手段で受信した映像出力停止要求に従って、前記映像出力手段での映像の出力を停止する停止手段とを備えたことを特徴とする請求項８又は９に記載の映像出力装置。
【請求項１１】
外部映像入力を受ける複数の外部映像入力手段と、
前記外部映像入力で入力した外部映像をそれぞれウィンドウで表示する表示制御手段と、
前記外部映像入力で入力する各外部映像に対応する表示解像度情報を記憶する記憶手段とを備え、
前記表示制御手段で表示するウィンドウのリサイズの操作があると、リサイズを実行し、リサイズした後のサイズに合わせて前記記憶手段の表示解像度情報を変更するとともに、該ウィンドウの外部映像の映像出力側に通知するステップを有することを特徴とする表示装置の制御方法。
【請求項１２】
外部に映像を出力する映像出力装置の制御方法であって、
外部から表示解像度情報を受信するステップと、
前記受信した表示解像度情報に従って、出力する映像の表示解像度を変更するステップとを有することを特徴とする映像出力装置の制御方法。
【請求項１３】
外部映像入力を受ける複数の外部映像入力手段と、
前記外部映像入力で入力した外部映像をそれぞれウィンドウで表示する表示制御手段と、
前記外部映像入力で入力する各外部映像に対応する表示解像度情報を記憶する記憶手段とを備え表示装置を制御するためのプログラムであって、
前記表示制御手段で表示するウィンドウのリサイズの操作があると、リサイズを実行し、リサイズした後のサイズに合わせて前記記憶手段の表示解像度情報を変更するとともに、該ウィンドウの外部映像の映像出力側に通知する処理をコンピュータに実行させるためのプログラム。
【請求項１４】
外部に映像を出力する映像出力装置を制御するためのプログラムであって、
外部から表示解像度情報を受信する処理と、
前記受信した表示解像度情報に従って、出力する映像の表示解像度を変更する処理とをコンピュータに実行させるためのプログラム。
【発明の詳細な説明】
【技術分野】
【０００１】
本発明は、映像入力ごとにウィンドウが割り当てられたウィンドウシステム対応の表示装置、映像出力装置、その制御方法及びプログラムに関する。
【背景技術】
【０００２】
コンピュータは、プロジェクタやディスプレイ等の表示装置に表示を行う。コンピュータと表示装置とはＨＤＭＩ等のケーブルで接続されており、コンピュータが画像データを表示装置に伝送したり、表示装置がＥＤＩＤ（Extended display identification data）をコンピュータに伝送したりする。表示装置は、ＥＤＩＤを変更し、変更されたＥＤＩＤをコンピュータに伝送することにより、ハードウェア的に表示画面の表示画像を変更することが可能となる。
【０００３】
例えば特許文献１では、表示装置は、縦長表示用のＥＤＩＤと横長表示用のＥＤＩＤの両者を用意し、場合によって使い分けることが開示されている。
【先行技術文献】
【特許文献】
【０００４】
【特許文献１】特開２００４−１８４５６０号公報
【発明の概要】
【発明が解決しようとする課題】
【０００５】
しかしながら、上述の特許文献１に開示された従来技術では、ウィンドウシステム対応の表示装置のように、各映像入力の表示状態がウィンドウの大きさに応じて変更される場合、その変更を検出することができない。また、表示状態が様々に変更されるため、横用ＥＤＩＤ及び縦用ＥＤＩＤといった２種類のＥＤＩＤを持つだけでは不十分である。
【０００６】
ウィンドウシステム対応の表示装置でウィンドウのリサイズが行われる場合に、映像出力装置側で出力する映像の表示解像度が同じままであると、表示装置側で画像処理の負荷がかかったり、画像処理による画質劣化が生じる可能性がある。
【０００７】
本発明は上記のような点に鑑みてなされたものであり、表示装置側での画像処理の負荷を減らし、画像処理による画質劣化を抑えられるようにすることを目的とする。
【課題を解決するための手段】
【０００８】
本発明の表示装置は、外部映像入力を受ける複数の外部映像入力手段と、前記外部映像入力で入力した外部映像をそれぞれウィンドウで表示する表示制御手段と、前記外部映像入力で入力する各外部映像に対応する表示解像度情報を記憶する記憶手段と、前記表示制御手段で表示するウィンドウのリサイズの操作があると、リサイズを実行し、リサイズした後のサイズに合わせて前記記憶手段の表示解像度情報を変更するとともに、該ウィンドウの外部映像の映像出力側に通知する制御手段とを備えたことを特徴とする。
【発明の効果】
【０００９】
本発明によれば、表示装置側でウィンドウのリサイズが行われた場合に、映像出力装置側に、リサイズした後のサイズに合わせた表示解像度で映像を出力させることができる。これにより、表示装置側での画像処理の負荷を減らし、画像処理による画質劣化を抑えることができる。
【図面の簡単な説明】
【００１０】
【図１】映像表示システムの構成を示す図である。
【図２】表示装置の構成を示すブロック図である。
【図３】第１の実施形態における表示装置による画面表示例を示す図である。
【図４】第１の実施形態における表示装置の処理の流れを示すフローチャートである。
【図５】第１の実施形態における表示装置による画面表示例を示す図である。
【図６】ＰＣの構成を示すブロック図である。
【図７】第２の実施形態における表示装置による画面表示例を示す図である。
【図８】第２の実施形態におけるＰＣの処理の流れを示すフローチャートである。
【図９】第３の実施形態における表示装置による画面表示例を示す図である。
【図１０】第３の実施形態における表示装置の処理の流れを示すフローチャートである。
【図１１】第３の実施形態におけるＰＣの処理の流れを示すフローチャートである。
【発明を実施するための形態】
【００１１】
以下、添付図面を参照して、本発明の好適な実施形態について説明する。
（第１の実施形態）
図１は、本発明の実施形態に係る映像表示システムの構成を示す図である。本実施形態に係る映像表示システムは、表示装置１０と、複数の映像出力装置３０、４０とを備える。
【００１２】
表示装置１０は、プロジェクタやデジタルテレビであり、複数の映像入力端子（１２、１３、１４）を備える。映像入力端子は、ＨＤＭＩ（High Definition Multimedia Interface）やＤＶＩ（Digital Visual Interface）である。
表示装置１０には、ユーザーインターフェースとしてマウス１１が接続する。また、表示装置１０には、ユーザーインターフェースとしてリモコン１５が接続する。
【００１３】
映像出力装置の１つであるブルーレイディスクプレーヤー３０は、映像入力端子１２にＨＤＭＩケーブルで接続されている。また、映像出力装置の１つであるパーソナルコンピュータ（以下、ＰＣと記す）４０は、映像入力端子１３にＨＤＭＩケーブルで接続されている。
ブルーレイディスクプレーヤー３０は、映像信号をＨＤＭＩを介して表示装置１０に送信する。表示装置１０は、ブルーレイディスクプレーヤー３０から送られた映像信号を受信して、出力できる形への変換を行い表示するよう表示制御を行う。映像を表示する際には、ウィンドウシステムによって実現される、ＧＵＩ（Graphical User Interface）により、複数のタスクに固有の領域を割当てて画面出力を多重化することが可能になる。そして、ウィンドウシステムにより、表示装置１０は、ブルーレイディスクプレーヤー３０の映像出力を、投影面２０の中のウィンドウ２２に表示する。
同様に、表示装置１０は、ＰＣ４０の映像出力を、投影面２０の中のウィンドウ２１に表示する。
また、表示装置１０は、投影面２０の中に、マウス１１により入力される情報に基づいて、マウスカーソル２３を表示する。ユーザは、マウス１１を操作して表示装置１０の投影面２０の中のウィンドウ２１、２２をドラッグアンドリリースすることにより、ウィンドウ２１、２２の大きさを変更（リサイズ）することが可能である。
【００１４】
図２に、表示装置１０の構成を示す。
表示装置１０は、ＣＰＵ１００と、メモリ部１０１と、ＥＤＩＤ記憶部１０２と、ＲＯＭ１０３とを備える。メモリ部１０１は、ＲＡＭであり、ワークメモリとして一時的に制御プログラムやデータを格納する。ＥＤＩＤ記憶部１０２は、Ｆｌａｓｈ等の不揮発性メモリであり、各外部映像入力に対応したＥＤＩＤを記憶する。ＥＤＩＤには表示解像度情報を含む。ＲＯＭ１０３は、ＣＰＵ１００の処理手順を記述した制御プログラムを記憶する。
また、表示装置１０は、映像出力装置と接続するための外部映像入力１（１２）、外部映像入力２（１３）、外部映像入力３（１４）を備える。本実施形態では、外部映像入力１はＨＤＭＩ入力１であり、図１に示したように、ブルーレイディスクプレーヤー３０が接続する。外部映像入力２はＨＤＭＩ入力２であり、図１に示したように、ＰＣ４０が接続する。外部映像入力３には映像出力装置が接続していない。
また、表示装置１０は、ウィンドウを移動、リサイズするためのユーザ入力を処理するユーザ入力部１０７を備える。本実施形態では、図１に示したように、ユーザ入力部１０７にマウス１１が接続し、マウス１１の入力によりマウスカーソル２３が表示される。
また、表示装置１０は、画像を表示するための画面表示部１０８を備える。
ＲＯＭ１０３には、ウィンドウを管理するために、ウィンドウのサイズ、座標、レイヤ、関連するアプリケーション、ウィンドウ枠等の情報を管理するウィンドウ管理プログラム１０４が格納されている。また、ウィンドウ管理プログラム１０４で管理するためのウィンドウの生成と削除、サイズ、座標、レイヤ、関連するアプリケーション、ウィンドウ枠の制御を行うためのウィンドウ制御プログラム１０５が格納されている。また、上記ウィンドウに表示される画像を複数のグラフィックレイヤに分けて重畳して表示するための画像出力プログラム１０６が格納されている。
【００１５】
（ブルーレイディスクプレーヤー３０からの映像信号のウィンドウのリサイズ（１））
以下、図３の表示装置１０による画面表示例、及び図４の表示装置１０の処理の流れを示すフローチャートを参照して、表示装置１０の処理の流れについて説明する。
図３に、表示装置１０による画面表示例を示す。投影面２０は、２０４８×１５３６（ＱＸＧＡ）の解像度を持つ。表示装置１０の設定可能な解像度は、１９２０×１０８０（Ｆｕｌｌ ＨＤ）、１２８０×７２０、７２０×４８０の３通りであるとする。
投影面２０の中のウィンドウ２２は、外部映像入力１（１２）から入力された映像信号を出力するウィンドウである。本実施形態では、ウィンドウ２２は、ブルーレイディスクプレーヤー３０からの映像出力を表示するウィンドウである。外部映像入力１（１２）に対応するＥＤＩＤの表示解像度は７２０×４８０に設定されているとする。ＥＤＩＤの設定情報は、ＥＤＩＤ記憶部１０２に記憶されている。
図３（ａ）において、ウィンドウ２２のサイズは７２０×４８０であり、ブルーレイディスクプレーヤー３０は４８０ｐ（progressive）で映像信号を出力している。
マウスカーソル２３は、マウス１１入力により表示位置を移動し、ウィンドウを移動、リサイズするためのユーザーインターフェースである。
【００１６】
図４に、表示装置１０の処理の流れを示す。マウス１１によりウィンドウ２２をリサイズするためにウィンドウ２２をドラッグ開始すると、ステップＳ１００に進む。図３（ｂ）は、ウィンドウ２２のドラッグ中を示す図であり、ウィンドウ２２を大きくするようにドラッグしている例を示す。ウィンドウ２２ａ（点線）は、ウィンドウ２２をドラッグ中の仮のウィンドウサイズを示す。
ステップＳ１００で、表示装置１０は、仮のウィンドウサイズが、設定可能な表示解像度（１９２０×１０８０、１２８０×７２０、７２０×４８０）をまたぐか否かを判断する。すなわちリサイズの操作中に、設定可能な表示解像度をまたぐか否かを判定する。ステップＳ１００において仮のウィンドウサイズが、設定可能な表示解像度（１９２０×１０８０、１２８０×７２０、７２０×４８０）をまたいだとき、ステップＳ１０１に進む。この際、表示装置１０はウィンドウ２２ａにメッセージを表示する。メッセージは、またいだ解像度情報を表示してもよいし、ウィンドウ２２ａの枠の色を変えたり、点滅させたりする等によりユーザに知らせてもよい。また、仮のウィンドウサイズが、設定可能な表示解像度をまたいだとき、仮のウィンドウサイズを一定時間だけ表示解像度よりも大きく（ウィンドウ２２を小さくするようにドラッグするときは小さく）表示させないことによりユーザに知らせてもよい。
【００１７】
次に、ステップＳ１０２で、表示装置１０は、マウス１１でドラッグ中のウィンドウ２２ａがリリースされたか否かを判定する。ステップＳ１０２においてマウス１１でドラッグ中のウィンドウ２２ａがリリースされたと判定すると、ステップＳ１０３に進む。リリースされるまで、ステップＳ１００に戻り、ドラッグ中のウィンドウ２２ａが、設定可能な表示解像度（１９２０×１０８０、１２８０×７２０、７２０×４８０）をまたぐか否かを判定する。
【００１８】
ステップＳ１０３で、表示装置１０は、リリース時のウィンドウ２２ａのサイズに最も近い、設定可能な表示解像度にウィンドウ２２をリサイズする。例えば図３（ｃ）において、リリース時のウィンドウ２２のサイズが２０００×１２００であるとすると、２０００×１２００に最も近い、設定可能な表示解像度１９２０×１０８０にウィンドウ２２をリサイズする。同様に、リリース時のウィンドウ２２ａのサイズが１５００×９００であるとすると、リリース後のリサイズされたウィンドウ２２のサイズは１２８０×７２０となる。
【００１９】
次に、ステップＳ１０４で、表示装置１０は、リリース後のウィンドウサイズ（１９２０×１０８０）を外部映像入力１（１２）に対応するＥＤＩＤの表示解像度として設定する。ＥＤＩＤの設定情報は、ＥＤＩＤ記憶部１０２に記憶される。
次に、ステップＳ１０５で、表示装置１０は、外部映像入力１（１２）に接続する映像出力側であるブルーレイディスクプレーヤー３０とのＨＤＭＩ接続をいったん切断する。これにより、ブルーレイディスクプレーヤー３０は、ＨＤＭＩ再接続し、表示装置１０のＥＤＩＤを新たに取得要求する。なお、本実施形態では、ＨＤＭＩ接続を切断することによりＥＤＩＤが更新されたことをＨＤＭＩ接続先のブルーレイディスクプレーヤー３０に伝えたが、それに限られるものではない。ＥＤＩＤが更新されたこと知らせる制御信号をＨＤＭＩのＣＥＣ（Consumer Electronics Control）ラインを用いて接続先のブルーレイディスクプレーヤー３０に伝えてもよい。
【００２０】
次に、ステップＳ１０６で、表示装置１０は、ＨＤＭＩ接続先のブルーレイディスクプレーヤー３０からＥＤＩＤ取得要求を受けたか否かを判定する。ステップＳ１０６においてＨＤＭＩ接続先のブルーレイディスクプレーヤー３０からＥＤＩＤ取得要求を受けると、ステップＳ１０７に進み、ブルーレイディスクプレーヤー３０に対してＥＤＩＤを送信する。ブルーレイディスクプレーヤー３０は、外部映像入力１（１２）に対応するＥＤＩＤを受け取り、ＥＤＩＤの中の表示解像度情報（１９２０×１０８０）に合わせて映像出力を変更する。すなわち、ブルーレイディスクプレーヤー３０は、映像出力を４８０ｐから１９２０ｐに変更する。これにより、図３（ｃ）のウィンドウ２２には、ブルーレイディスクプレーヤー３０からの１０８０ｐの映像が表示されることになる。
【００２１】
以上述べたように、表示装置１０側でウィンドウのリサイズが行われた場合に、ブルーレイディスクプレーヤー３０に、リサイズした後のサイズに合わせた表示解像度を通知し、その表示解像度で映像を出力させることができる。これにより、表示装置１０側での画像処理の負荷を減らし、画像処理による画質劣化を抑えることができる。
【００２２】
（ブルーレイディスクプレーヤー３０からの映像信号のウィンドウのリサイズ（２））
上述した例ではマウス１１によりウィンドウ２２のリサイズの操作を行ったが、リモコン１５によりウィンドウ２２の大きさを段階的に切り替えることも可能である。
図５に、表示装置１０による画面表示例を示す。投影面２０は、２０４８×１５３６（ＱＸＧＡ）の解像度を持つ。表示装置１０の設定可能な解像度は、１９２０×１０８０（Ｆｕｌｌ ＨＤ）、１２８０×７２０、７２０×４８０の３通りであるとする。
投影面２０の中のウィンドウ２２は、外部映像入力１（１２）から入力された映像信号を出力するウィンドウである。本実施形態では、ウィンドウ２２は、ブルーレイディスクプレーヤー３０からの映像出力を表示するウィンドウである。外部映像入力１（１２）に対応するＥＤＩＤの表示解像度は７２０×４８０に設定されているとする。ＥＤＩＤの設定情報は、ＥＤＩＤ記憶部１０２に記憶されている。
図５（ａ）において、ウィンドウ２２のサイズは７２０×４８０であり、ブルーレイディスクプレーヤー３０は４８０ｐ（progressive）で映像信号を出力している。
【００２３】
図５（ａ）の状態において、リモコン１５によりウィンドウ２２の大きさを１ランク大きくするよう指示すると、図５（ｂ）に示すように、ウィンドウ２２のサイズは、７２０×４８０の次に大きな設定可能な解像度である１２８０×７２０となる。すなわち、ウィンドウ２２のサイズは１２８０×７２０である。このとき、マウス１１の場合と同様の処理により、外部映像入力１（１２）に対応するＥＤＩＤの表示解像度は１２８０×７２０に変更される。また、マウス１１の場合と同様の処理により、ブルーレイディスクプレーヤー３０は、映像出力を４８０ｐから７２０ｐに変更する。これにより、図５（ｂ）のウィンドウ２２には、ブルーレイディスクプレーヤー３０からの７２０ｐの映像が表示されることになる。
【００２４】
図５（ｂ）の状態において、リモコン１５によりウィンドウ２２の大きさをさらに１ランク大きくするよう指示すると、図５（ｃ）に示すように、ウィンドウ２２のサイズは、１２８０×７２０の次に大きな設定可能な解像度である１９２０×１０８０となる。すなわち、ウィンドウ２２のサイズは１９２０×１０８０である。このとき、マウス１１の場合と同様の処理により、外部映像入力１（１２）に対応するＥＤＩＤの表示解像度は１９２０×１０８０に変更される。また、マウス１１の場合と同様の処理により、ブルーレイディスクプレーヤー３０は、映像出力を７２０ｐから１０８０ｐに変更する。これにより、図５（ｃ）のウィンドウ２２には、ブルーレイディスクプレーヤー３０からの１０８０ｐの映像が表示されることになる。
【００２５】
（第２の実施形態）
第１の実施形態では、ブルーレイディスクプレーヤー３０からの映像信号のウィンドウのリサイズについて述べたが、第２の実施形態では、ＰＣ４０からの映像信号のウィンドウのリサイズについて述べる。なお、映像表示システムの構成は第１の実施形態と同じであり、同じ構成要素には同一の符号を付し、その詳細な説明を省略する。
【００２６】
図６に、ＰＣ４０の構成を示す。
ＰＣ４０は、ＣＰＵ４００と、メモリ部４０１と、ＲＯＭ４０２とを備える。メモリ部４０１は、ＲＡＭであり、ワークメモリとして一時的に制御プログラムやデータを格納する。ＲＯＭ４０２は、ＣＰＵ４００の処理手順を記述した制御プログラムを記憶する。
また、ＰＣ４０は、ＰＣ４０の画面を出力するための外部映像出力４０４を備える。本実施例では、外部映像出力４０４はＨＤＭＩ出力であり、表示装置１０が接続している。
また、ＰＣ４０は、ＰＣ４０の画面を表示するための画面表示部４０５を備える。
ＲＯＭ４０２には、ＰＣ４０の画面出力を制御するための画面出力制御プログラム４０３が含まれる。
【００２７】
以下、図７の表示装置１０による画面表示例、図４の表示装置１０の処理の流れを示すフローチャート、及び図８のＰＣ４０の処理の流れを示すフローチャートを参照して、表示装置１０及びＰＣ４０の処理の流れについて説明する。
図７に、表示装置１０による画面表示例を示す。投影面２０は、２０４８×１５３６（ＱＸＧＡ）の解像度を持つ。表示装置１０の設定可能な解像度は、１６００×１２００（ＱＸＧＡ）、１２８０×１０２４（ＳＸＧＡ）、１２８０×８００（ＷＸＧＡ）、１０２４×７６８（ＸＧＡ）、８００×６００（ＳＶＧＡ）の５通りであるとする。
投影面２０の中のウィンドウ２１は、外部映像入力２（１３）から入力された映像信号を出力するウィンドウである。本実施形態では、ウィンドウ２１は、ＰＣ４０からの映像出力を表示するウィンドウである。外部映像入力２（１３）に対応するＥＤＩＤの表示解像度は１６００×１２００（ＱＸＧＡ）に設定されているとする。ＥＤＩＤの設定情報は、ＥＤＩＤ記憶部１０２に記憶されている。
図７（ａ）において、ウィンドウ２１のサイズは１６００×１２００（ＱＸＧＡ）であり、ＰＣ４０は１６００×１２００（ＱＸＧＡ）で画面出力している。
マウスカーソル２３は、マウス１１入力により表示位置を移動し、ウィンドウを移動、リサイズするためのユーザーインターフェースである。
【００２８】
図４に、表示装置１０の処理の流れを示す。マウス１１によりウィンドウ２１をリサイズするためにウィンドウ２１をドラッグ開始すると、ステップＳ１００に進む。図７（ｂ）は、ウィンドウ２１のドラッグ中を示す図であり、ウィンドウ２１を小さくするようにドラッグしている例を示す。ウィンドウ２１ａ（点線）は、ウィンドウ２１をドラッグ中の仮のウィンドウサイズを示す。
ステップＳ１００で、表示装置１０は、仮のウィンドウサイズが、設定可能な表示解像度（１６００×１２００、１２８０×１０２４、１２８０×８００、１０２４×７６８、８００×６００）をまたぐか否か、すなわちリサイズの操作中に、設定可能な表示解像度をまたぐか否かを判定する。ステップＳ１００において仮のウィンドウサイズが、設定可能な表示解像度（１６００×１２００、１２８０×１０２４、１２８０×８００、１０２４×７６８、８００×６００）をまたいだとき、ステップＳ１０１に進み、表示装置１０はウィンドウ２１ａにメッセージを表示する。メッセージの表示の仕方については第１の実施形態で述べたものと同様である。
【００２９】
次に、ステップＳ１０２で、表示装置１０は、マウス１１でドラッグ中のウィンドウ２１ａがリリースされたか否かを判定する。ステップＳ１０２においてマウス１１でドラッグ中のウィンドウ２１ａがリリースされたと判定すると、ステップＳ１０３に進む。リリースされるまで、ステップＳ１００に戻り、ドラッグ中のウィンドウ２１ａが、設定可能な表示解像度（１６００×１２００、１２８０×１０２４、１２８０×８００、１０２４×７６８、８００×６００）をまたぐか否かを判定する。
【００３０】
ステップＳ１０３で、表示装置１０は、リリース時のウィンドウ２１ａのサイズに最も近い、設定可能な表示解像度にウィンドウ２２をリサイズする。例えば図７（ｃ）において、リリース時のウィンドウ２１のサイズが１０００×７００であるとすると、１０００×７００に最も近い、設定可能な表示解像度１０２４×７６８にウィンドウ２１をリサイズする。同様に、リリース時のウィンドウ２１ａのサイズが７００×５００であるとすると、リリース後のリサイズされたウィンドウ２２のサイズは８００×６００となる。
【００３１】
次に、ステップＳ１０４で、表示装置１０は、リリース後のウィンドウサイズ（１０２４×７６８）を外部映像入力２（１３）に対応するＥＤＩＤの表示解像度として設定する。ＥＤＩＤの設定情報は、ＥＤＩＤ記憶部１０２に記憶される。
次に、ステップＳ１０５で、表示装置１０は、外部映像入力２（１３）に接続する映像出力側であるＰＣ４０とのＨＤＭＩ接続をいったん切断する。これにより、ＰＣ４０は、ＨＤＭＩ再接続し、表示装置１０のＥＤＩＤを新たに取得要求する。なお、第１の実施形態で述べたように、ＥＤＩＤが更新されたこと知らせる制御信号をＨＤＭＩのＣＥＣラインを用いて接続先のＰＣ４０に伝えてもよい。
【００３２】
次に、ステップＳ１０６で、表示装置１０は、ＨＤＭＩ接続先のＰＣ４０からＥＤＩＤ取得要求を受けたか否かを判定する。ステップＳ１０６においてＨＤＭＩ接続先のＰＣ４０からＥＤＩＤ取得要求を受けると、ステップＳ１０７に進み、ＰＣ４０に対してＥＤＩＤを送信する。ＰＣ４０は、外部映像入力２（１３）に対応するＥＤＩＤを受け取り、ＥＤＩＤの中の表示解像度情報（１０２４×７６８）に合わせて映像出力を変更する。これにより、図７（ｃ）のウィンドウ２１には、ＰＣ４０からの１０２４×７６８の解像度の画面が表示されることになる。
【００３３】
図８に、ＰＣ４０の処理の流れを示す。ステップＳ２００で、ＰＣ４０は、ＨＤＭＩ接続が切断されたか否かを検出する。ステップＳ２００においてＨＤＭＩ接続の切断を検出すると、ステップＳ２０１に進み、表示装置１０とのＨＤＭＩの再接続及びＥＤＩＤの取得を要求する。なお、ステップＳ２００ではＨＤＭＩ接続の切断を検出することによりＥＤＩＤを新たに取得要求したが、ＨＤＭＩのＣＥＣラインを用いてＥＤＩＤの更新を知った場合も同じくステップＳ２０１においてＥＤＩＤの取得を要求する。
次に、ステップＳ２０２で、ＰＣ４０は、表示装置１０からＥＤＩＤを受信すると、ステップＳ２０３に進み、画面出力制御プログラム４０３は、ＰＣ４０の画面解像度をＥＤＩＤの解像度情報、図７の例では１０２４×７６８に設定する。これにより、ＰＣ４０の画面解像度は１６００×１２００から１０２４×７６８に変更され、図７（ｃ）に示すように、ウィンドウ２１にはＰＣ４０からの１０２４×７６８の解像度の画面が表示されることになる。
【００３４】
（第３の実施形態）
以下、図９、図１０、及び図１１を参照して、表示装置１０及び映像出力装置（ブルーレイディスクプレーヤー３０及びＰＣ４０）の処理の流れについて説明する。
図９に、表示装置１０による画面表示例を示す。投影面２０は、２０４８×１５３６（ＱＸＧＡ）の解像度を持つ。表示装置１０の設定可能な解像度は、１９２０×１０８０（Ｆｕｌｌ ＨＤ）、１６００×１２００（ＱＸＧＡ）、１２８０×１０２４（ＳＸＧＡ）、１２８０×８００（ＷＸＧＡ）、１２８０×７２０、１０２４×７６８（ＸＧＡ）、８００×６００（ＳＶＧＡ）、７２０×４８０の８通りであるとする。
投影面２０の中のウィンドウ２１は、外部映像入力２（１３）から入力された映像信号を出力するウィンドウである。本実施形態では、ウィンドウ２１は、ＰＣ４０からの映像出力を表示するウィンドウである。また、投影面２０の中のウィンドウ２２は、外部映像入力１（１２）から入力された映像信号を出力するウィンドウである。本実施形態では、ウィンドウ２２は、ブルーレイディスクプレーヤー３０からの映像出力を表示するウィンドウである。外部映像入力１（１２）に対応するＥＤＩＤの表示解像度は１２８０×７２０に設定されているとする。また、外部映像入力２に対応するＥＤＩＤの表示解像度は１０２４×７６８（ＸＧＡ）に設定されているとする。ＥＤＩＤの設定情報は、ＥＤＩＤ記憶部１０２に記憶されている。
図９（ａ）において、ウィンドウ２１のサイズは１０２４×７６８（ＸＧＡ）であり、ＰＣ４０は１０２４×７６８（ＸＧＡ）で画面出力している。また、ウィンドウ２２のサイズは１２８０×７２０であり、ブルーレイディスクプレーヤー３０は７２０ｐ（progressive）で映像信号を出力している。
マウスカーソル２３は、マウス１１入力により表示位置を移動し、ウィンドウを移動、リサイズするためのユーザーインターフェースである。
【００３５】
図１０に、表示装置１０の処理の流れを示す。ステップＳ３００で、表示装置１０は、ウィンドウ最小化の操作がなされたか否かを判定する。例えば図９（ａ）の状態において、マウスカーソル２３によりウィンドウ２１の最小化ボタンを押すと、図９（ｂ）に示すように、ウィンドウ２１はタブ２４として最小化される。すなわち、ＰＣ４０の画面出力は表示されなくなる。ウィンドウ最小化の操作がなければステップＳ３０１に進み、操作があればステップＳ３０２に進む。
ステップＳ３０２で、表示装置１０は、ＨＤＭＩのＣＥＣラインを用いて、最小化されたウィンドウの外部映像の映像出力先（図９の例ではＰＣ４０）に対して外部映像出力停止要求信号を送信する。
【００３６】
ステップＳ３０１で、ウィンドウの上に別のウィンドウの重なりが検出されたか否かを判定する。例えば図９（ｃ）に示すように、ウィンドウ２２を移動及び拡大したことにより、ウィンドウ２１の上にウィンドウ２２が重なり、ウィンドウ２１の表示の一部が隠されることがある。すなわち、ＰＣ４０の画面出力は一部がウィンドウ２２によって隠される。ウィンドウの重なりがなければステップＳ３００に戻り、重なりがあればステップＳ３０２に進む。
ステップＳ３０２で、表示装置１０は、ＨＤＭＩのＣＥＣラインを用いて、隠されるウィンドウの外部映像の映像出力先（図９の例ではＰＣ４０）に対して外部映像出力停止要求信号を送信する。
【００３７】
次に、ステップＳ３０３で、ウィンドウが復元されたか否かを判定し、復元されていなければステップＳ３０４に進み、復元されていればステップＳ３０５に進む。ステップＳ３０４で、ウィンドウの上に別のウィンドウの重なりがないかを判定し、重なりがあればステップＳ３０３に戻り、重なりがなければステップＳ３０５に進む。ウィンドウ２１が最小化された状態（図９（ｂ））から図９（ａ）に示すように復元されると、ステップＳ３０５に進む。図９（ａ）に示すようにウィンドウ２１の上に別のウィンドウ２２が重なっていないことを検出すると、ステップＳ３０５に進む。
ステップＳ３０５で、表示装置１０は、ＨＤＭＩのＣＥＣラインを用いて、外部映像出力停止要求信号を送信した映像出力先（図９の例ではＰＣ４０）に対して外部映像出力開始要求信号を送信する。
【００３８】
図１１に、映像出力装置（図９の例ではＰＣ４０）の処理の流れを示す。ステップＳ４００で、ＰＣ４０は、ＨＤＭＩのＣＥＣラインから外部映像出力停止要求信号を受信すると、ステップＳ４０１に進み、外部映像の出力を停止する。その後、ステップＳ４０２で、ＨＤＭＩのＣＥＣラインから外部映像出力開始要求信号を受信すると、ステップＳ４０３に進み、外部映像の出力を再開する。
【００３９】
以上、本発明の好ましい実施形態について説明したが、本発明はこれらの実施形態に限定されず、その要旨の範囲内で種々の変形及び変更が可能である。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014048921.tif 000003
【図２】
2014048921.tif 000004
【図３】
2014048921.tif 000005
【図４】
2014048921.tif 000006
【図５】
2014048921.tif 000007
【図６】
2014048921.tif 000008
【図７】
2014048921.tif 000009
【図８】
2014048921.tif 000010
【図９】
2014048921.tif 000011
【図１０】
2014048921.tif 000012
【図１１】
2014048921.tif 000013